(57)【要約】【課題】電子体温計の測定部（金属キャップ）が体温測定部位に正しく装着されたかどうかを使用者（保護者・介護者また測定者自身）が容易に把握することができる電子体温計の提供。【解決手段】本発明の電子体温計は、電子体温計が体温測定部の所定位置に装着されたか否かを検出する検出手段を備えたことを特徴とする。また、体温測定時に装着される前記電子体温計の姿勢を検出する姿勢検出手段をさらに備え、音声で報知することを特徴とする。また、姿勢検出手段として多軸ジャイロを用いている。【選択図】図２
2008232865.tif 000002
【特許請求の範囲】
【請求項１】
電子体温計であって、前記電子体温計が体温測定部の所定位置に装着されたか否かを検出する検出手段を備えたことを特徴とする電子体温計。
【請求項２】
体温測定時に装着される前記電子体温計の姿勢を検出する姿勢検出手段をさらに備え、音声で報知することを特徴とする請求項１に記載の電子体温計。
【発明の詳細な説明】
【技術分野】
【０００１】
本発明は、電子体温計に関するものである。
【背景技術】
【０００２】
従来の電子体温計においては、日本においては主に体温測定部位をワキ下（腋下）とし、保護者・介護者が棒状の電子体温計のプローブ部（金属キヤップ部）を被測定者のワキ下（腋下）に挟んだり、測定者自身が棒状の電子体温計のプローブ部（金属キヤップ部）をワキ下（腋下）に挟んで体温を測定するものである（特許文献１：特公平３−２４６１５号公報）。
【特許文献１】特公平３−２４６１５号公報
【発明の開示】
【発明が解決しようとする課題】
【０００３】
しかしながらこのような電子体温計においては、測定部位へのプローブ部（金属キャップ部）の装着が適切でなくエラー報知がされない場合、体温が低めに測定・表示される可能性がある。
【０００４】
本発明は、上記問題点に鑑みなされたものであり、電子体温計の測定部（金属キャップ）が体温測定部位に正しく装着されたかどうかを使用者（保護者・介護者また測定者自身）が容易に把握することができる電子体温計を提供することを目的としている。
【課題を解決するための手段】
【０００５】
上記目的を達成するために、本発明の電子体温計は、電子体温計が体温測定部の所定位置に装着されたか否かを検出する検出手段を備えたことを特徴とする。また、体温測定時に装着される電子体温計の姿勢を検出する姿勢検出手段をさらに備え、音声で報知することを特徴とする。
【発明の効果】
【０００６】
本発明によれば、電子体温計の測定部（金属キャップ）が体温測定部位に正しく装着されたかどうかを、保護者・介護者また測定者自身が容易に把握することができる電子体温計を提供することができる。
【発明を実施するための最良の形態】
【０００７】
以下に、図面を参照して、この発明の好適な実施の形態を実測式の電子体温計を例示的に詳しく説明する。ただし、この実施の形態に記載されている構成要素はあくまで例示であり、この発明の範囲をそれらのみに限定する趣旨のものではなく、平衡温予測式の電子体温計に適用できることはいうまでもない。
【０００８】
（実施例）  ＜電子体温計の構成＞
図１は、本実施形態の棒状の電子体温計１００の外観を示す図で、図１（ａ）は、平面図、図１（ｂ）は、側面図である。
【０００９】
２は、本体ケース（筐体）で、後述する演算制御部２０等の電子回路、ブザー３１、電池(電源部)４０等が収納されている。３は、ステンレス製の金属キャップで、体温測定に必要なサーミスタ１３(図２参照)等を含む温度計測部１０を接着剤で固定して収納している。本体ケース２と金属キャップ３は接着剤（不図示）を介して液密に接合・固定されている。
【００１０】
こうして、金属キャップ３は、サーミスタ１３を外部の衝撃等から保護し、サーミスタ１３に体温（温度）を伝熱する。金属キャップ３は、外径約３ｍｍ，厚さ約０．２，ｍｍ，全長約８ｍｍ，重量２４０〜２５０ｇで、本体ケース２の先端部での接合部の長さは、３．５ｍｍ〜５ｍｍ程度となっている。サーミスタ１３を内蔵した金属キャップ３を含む感熱部は、熱容量が０．１Ｊ／℃程度に低減されている。
【００１１】
この本体ケース（筐体）２は、スチレン系樹脂（ハイインパクトスチロール，ＡＢＳ樹脂）、ポリオレフィン系樹脂（ポリプロピレン，ポリエチレン）等で形成されて、表示部３０を覆う透明の窓部２ｄとは好ましくは二色成形で樹脂部品として形成されている。また、抗菌性を持たせるために、リン酸ジルコニウム銀化合物をほぼ１〜２．５重量％含むようにして成形してもよい。窓部２ｄは、透明樹脂であるポリスチレン、ブタジエン・スチレン共重合体等のスチレン系樹脂；ポリ−２−メチルペンテン、ポリプロピレン等のポリオレフィン系樹脂；ポリメチルメタクリレート等のアクリル系樹脂；セルロースアセテート等のセルロースエステル；ポリエチレンテレフタレート等のポリエステル等から形成される。本体ケース２の金属キャップ３の反対側には電源ＯＮ／ＯＦＦスイッチ４、切替えスイッチ４ａ、測定結果を表示する、バックライト用のＬＥＤ３０ｃ、予測モード表示部３０ａ（平衡温予測電子体温計の場合で予測モード動作の場合）、消音モード表示部３０ｂ、測定者表示部３０ｅを備えた表示部３０とから構成される。消音モードを選択して消音モードを動作させる場合、消音モード表示部３０ｂの絵文字，キャラクタ等を点灯又は点滅表示させる。また、４ａは電子体温計が体温測定部の所定位置に装着されたか否かを判断する判断手段としての歪ゲージを含むものである。所定位置に装着して挟まれると歪ゲージ４ａに押圧力がかかり、電子体温計１００の金属キャップが体温測定部の所定位置に装着されたと判断される。
【００１２】
図２は本実施例の電子体温計１００の構成を示す内部ブロック図である。電子体温計１００は、温度を計測しそれをデジタル値として出力する温度計測部１０と、計測された温度から予測温度を演算すると共に電子体温計１００を制御する演算制御部２０と測定結果を表示する、バックライト用のＬＥＤ３０ｃを備えた表示部３０とから構成される。
【００１３】
温度計測部１０は、並列に接続された感温部に設置されたサーミスタ１３及びコンデンサ１４と、測温用ＣＲ発振回路１１とからなり、サーミスタ１３の温度に対応するカウンタ１６のカウント量の変化に従い、温度をデジタル量として出力する。なお、温度計測部１０の構成は一例であって、これに限定するものではない。
【００１４】
演算制御部２０は、体温測定に必要なパラメータを格納したＥＥＰＲＯＭ２０ａ、計測温度を時系列で記憶するためのＲＡＭ２３、予測式などのプログラムを格納したＲＯＭ２２、表示部３０を制御するための表示制御部３０ｄ、測温用ＣＲ発振回路１１の発振信号をカウントするカウンタ１６、ＲＯＭ２２のプログラムに従いＥＥＰＲＯＭ２０ａに書かれた条件で演算を行なう演算処理部２１、カウンタ１６，演算処理部２１，表示制御部３０ｄを制御する制御回路（ＣＰＵ）５０とからなる。また、ＲＡＭ２３には、アラームを発生する合成音声ＩＣも含んでいる。３１は、測定の終了などを報知するブザー、３１ａは、電子体温計１００の金属キャップ３が体温測定部位としての所定位置、例えばワキ下（腋下）に適切に挟まれていない（装着されていない）場合に音声で報知するための音声発生部である。なお、適正に装着されている場合もその旨を音声で報知してもよい。また、４ａは電子体温計１００の体温測定部位に装着された時の姿勢を検出するための姿勢検出手段としての多軸ジャイロ、４ｂは電子体温計１００の体温測定部位に適切な力で金属キャップ３が挟まれているか否かを検出するための検出手段の一部を構成する圧力検出手段の一例としての歪ゲージである。
装着の適否、圧力検出手段、姿勢検出手段、アラーム音声（音声報知）との関連パターンの例を下記に示す。なお、図３は、電子体温計１００が正常に装着されている状態を示すもので、（ａ）は、座位の状態における装着状態、（ｂ）は横臥または仰臥における装着状態を示すものである。
装着の適否    圧力検出手段      姿勢検出手段    アラーム音声内容（音声報知）
適      所定圧以上検出    所定の角度以内    正常に装着されています
（５００ｇｆ程度以上）（座位：垂直方向に対して２５〜３５度）
（仰臥：水平方向に対して２５〜３５度）
否      所定圧未満検出    所定の角度以内    正常に装着されていません
（５００ｇｆ程度未満）（座位：垂直方向に対して２５〜３５度）
（仰臥：水平方向に対して２５〜３５度）
否      所定圧以上検出      所定の角度範囲外    正常に装着されていません
（５００ｇｆ程度以上）（座位：垂直方向に対して２５度未満，３５度以上）
（仰臥：水平方向に対して２５度未満，３５度以上）
すなわち、電子体温計１００が所定位置に装着されたかどうかの判断は、多軸ジャイロ４ａ，歪ゲージ４ｂで検出された値に基づき判断される。なお、これらの電子体温計１００の角度（電子体温計１００の姿勢）は、ディフォルト値として、ＲＡＭ２３に記憶されていて、多軸ジャイロ４ａで検出された電子体温計１００の角度（電子体温計１００の姿勢）と比較・判断される。また、圧力についても、ディフォルト値として、ＲＡＭ２３に記憶されていて、歪ゲージ４ｂで検出された圧力と比較・判断される。それぞれの判断結果に基づき、上記のような例のアラーム音声内容（音声報知）が行なわれる。
【００１５】
さらに、本実施形態に特徴的な部分として、サーミスタ１３およびその周辺部の熱容量は従来の予測型電子体温計に比較し非常に小さくなっており、熱応答特性が良くなるよう構成されていることが挙げられる。ここで、周辺部の熱容量としては、サーミスタ１３を覆い、測定者の測定部位に接する金属キャップ３や、金属キャップ３とサーミスタ１３との接着材などの熱容量が含まれる。
【００１６】
（電子体温計の動作説明）
以下に、本発明の電子体温計の動作フローについて説明する。まず、電源スイッチで電源ＯＮ／ＯＦＦスイッチ４で電源ＯＮすると、表示部３０の全部のセグメントが点等し、初期セルフチェックが行なわれる。次に、多軸ジャイロ４ａを含むすべての電子回路が駆動される。また、前回測定者の体温が記憶部から読み出され、表示部３０に表示される。この間の動作中に電源スイッチで電源ＯＮ／ＯＦＦスイッチ４を２〜３秒押し続けることで、消音モードになり、消音モード表示部３０ｂにその旨のマーク（キャラクタ）が表示される。消音モードでは、測定終了時にその旨を知らせるブザー３１を駆動しない。なお電源ＯＮ／ＯＦＦスイッチ４を２〜３秒押し続けることで、発生するブザー音を連続的に減少させるようにし、所望のブザー音に設定できるようにしてもよい。
【００１７】
次に、電子体温計１００の金属キャップ３を測定者（使用者）の測定部位、例えばワキ下（腋下）に当てて、ワキを閉じると、金属キャップ３の温度が上昇し始める。図３は、ワキ下（腋下）に正しく装着された状態を示すもので、（ａ）は座位での装着状態、（ｂ）は仰臥での装着状態を示すものである。
【００１８】
電子体温計１００が正しく装着されと判断され、実測値が３０℃以上、かつ温度上昇率が０．０３℃／０．５秒以上になった時を起点（ｔ＝０）として、体温測定が開始される。正しく装着されていない場合は、段落番号００１４に記載のような音声報知を行なう。タイマーなどで測定開始から所定の時間（例えば３００秒）経過した時または温度上昇が所定値以下（例えば、０．５℃／秒）の時には強制的に測定を終了させ、記憶部に新たな体温データとして更新・記憶するとともに、表示部３０に体温値として表示する。もし、発熱などで、記憶された平均の体温値（平熱）より所定値、例えば１．５℃程度以上高い場合、表示部３０のバックライト用のＬＥＤ３０ｃを赤色に点等または点滅させたり、測定終了音とは異なるブザー音で報知するようにしてもよい。所定値または所定範囲内（±１．０℃）にある時は、表示部３０のバックライト用のＬＥＤ３０ｃを緑色に点等または点滅させる。所定値、例えば１．０℃程度以上高い微熱のような場合、表示部３０のバックライト用のＬＥＤ３０ｃをオレンジ色に点等または点滅させたりするようにしてもよい。
【図面の簡単な説明】
【００１９】
【図１】実施例に係る電子体温計である。
【図２】実施例に係る電子体温計の内部ブロック図である。
【図３】実施例に係る電子体温計の装着状態を示す図である。
【符号の説明】
【００２０】
２  本体ケース、３  金属キャップ、４  電源スイッチ、４ａ  多軸ジャイロ、４ｂ  歪ゲージ、３０  表示部、１００  電子体温計
（ ａ ）（ ｂ ） 垂直方向からの角度  水平方向からの角度
１００ 電子体温計   測定者
【図１】
2008232865.tif 000003
【図２】
2008232865.tif 000004
【図３】
2008232865.tif 000005